(57)【特許請求の範囲】
【請求項１】
ドア本体またはドア開口の一方の周縁部に設けられたラッチ部材を、他方の周縁部に設けられたストライカーに係合させて、前記ドア本体を閉扉状態に拘束するようにしたドアロックのストライカー装置であり、カバー部材を有するものにおいて、
前記ストライカーは、ベースプレートおよび、ロッド部材を有し、
前記ロッド部材は、前記ベースプレートの表面側に立設されており、
前記カバー部材は、カバー表面部、カバー周壁部および、係止部を樹脂材により一体成形して成り、
前記カバー表面部は、前記ベースプレートの表面を覆う際に、前記ロッド部材が相対的に挿通する挿通溝を形成して成り、
前記カバー周壁部は、前記ベースプレートの外縁部を外部から覆っていて、一対の押込み部を互いに対向する位置に形成して成り、
前記一対の押込み部と前記ベースプレートの外縁部との間には、前記一対の押込み部を相互に近づけるように内方へ押し込む際に、該押し込み方向と略直交する方向の線に沿って前記カバー表面部の中央部が表面側へ屈曲して、前記略直交する方向の線上に位置するカバー周壁部が前記ベースプレートの外縁部から外方へ開いた開き部に変形する程度の押し込み用の隙間を有しており、
前記係止部は、前記ベースプレートの外縁部に係脱可能なように、前記カバー周壁部の開き部に形成されていることを特徴とするドアロックのストライカー装置。
【請求項２】
ドア本体またはドア開口の一方の周縁部に設けられたラッチ部材を、他方の周縁部に設けられたストライカーに係合させて、前記ドア本体を閉扉状態に拘束するようにしたドアロックのストライカー装置であり、カバー部材を有するものにおいて、
前記ストライカーは、ベースプレートおよび、ロッド部材を有し、
前記ベースプレートは、前記他方の周縁部に接する据付部と、他方の周縁部から離間する段差部とを有しており、
前記ロッド部材は、逆Ｕ字形状に形成されていて、一対の脚部と連結部とを有しており、
前記ロッド部材の一対の脚部が前記ベースプレートの段差部の表面側に立設されており、
前記カバー部材は、カバー表面部、カバー周壁部および、係止部を樹脂材により一体成形して成り、
前記カバー表面部は、前記ベースプレートの表面を覆う際に、前記ロッド部材の一対の脚部および連結部が相対的にそれぞれ挿通する細長状の挿通溝を形成して成り、
前記カバー周壁部は、前記ベースプレートの外縁部を外部から覆っていて、前記挿通溝の長手方向とは直交する方向線上の互いに対向する位置に一対の押込み部を形成して成り、
前記一対の押込み部と前記ベースプレートの外縁部との間には、前記一対の押込み部を相互に近づけるように内方へ押し込む際に、前記挿通溝の長手方向の線に沿って前記カバー表面部の中央部が表面側へ屈曲して、前記長手方向の線上に位置するカバー周壁部が前記ベースプレートの外縁部から外方へ開いた開き部に変形する程度の押し込み用の隙間を有しており、
前記係止部は、前記ベースプレートの段差部の外縁部に係脱可能なように、前記カバー周壁部の開き部に形成されていることを特徴とするドアロックのストライカー装置。
【請求項３】
前記係止部は前記ベースプレートの裏面に沿って突出しており、
前記係止部は、その先端から基端側に凹入するスリットを有して成る請求項１または２に記載のドアロックのストライカー装置。
【請求項４】
前記カバー部材のカバー表面部は、前記略直交する方向の線または、前記長手方向の線に沿って薄肉部を有していることを特徴とする請求項１または２に記載のドアロックのストライカー装置。
【請求項５】
ドア本体またはドア開口の一方の周縁部に設けられるストライカー装置の表面側を覆うカバー部材において、
前記カバー部材は、カバー表面部、該カバー表面部の周縁から裏面側に立設されたカバー周壁部、および該カバー周壁部の内壁に形成された係止部を樹脂材により一体成形して成り、
前記カバー表面部には、前記ストライカー装置の表面側に立設されたロッド部材が相対的に挿通可能な挿通溝が形成してあり、
前記係止部は、カバー表面部から離間した位置のカバー周壁部の対向する内壁から互いに向かい合うように突出して少なくとも一対設けられ、
前記両係止部を結ぶ線と略直交する方向の線上に位置するカバー周壁部には、一対の押込み部が形成され、
前記両係止部を結ぶ線上に位置するカバー周壁部には、前記両押込み部を相互に近づけるように内方に押し込んだ際に、前記一対の係止部の先端が互いに離れる方向に開き変形する開き部が形成されていることを特徴とするストライカー装置のカバー部材。
【請求項６】
前記カバー表面部には、前記押込み部の押し込みに際して、カバー表面部が盛り上がり屈曲変形する屈曲線が形成され、該屈曲線の延長方向に沿って前記係止部が形成されていることを特徴とする請求項５に記載のカバー部材。
【請求項７】
前記屈曲線は、前記ロッド部材が挿通可能な挿通溝であることを特徴とする請求項６に記載のカバー部材。
【請求項８】
前記カバー表面部は、上面視略６角形状に形成されていて、６個の頂角部および、６個の辺部を有しており、前記押込み部は、互いに対向する前記辺部に形成されており、かつ前記係止部は、前記対向する辺部の間に位置する頂角部に形成されていることを特徴とする請求項５、６または７に記載のカバー部材。
【発明の詳細な説明】
【０００１】
【発明の属する技術分野】
本発明は、ドア本体またはドア開口の一方の周縁部に設けられたラッチ部材を、他方の周縁部に設けられたストライカーに係合させて、前記ドア本体を閉扉状態に拘束するようにしたドアロックのストライカー装置および、そのカバー部材に関する。
【０００２】
【従来の技術】
従来のドアロックのストライカー装置としては、実公平６−４３３８９号公報に開示されたものがある。
【０００３】
すなわち、カバーが、ベースプレートの表面、ベースプレートの下穴および、下穴に通した取付ビスなどを覆っている。カバーの周壁部には、周方向にほぼ等間隔に４個の係合凸部が形成され、各係合凸部がベースプレートの周縁にそれぞれ係止している。カバーには、ストライカシャフト貫通孔が形成され、ストライカシャフト貫通孔のスリットの縁部の先端部がベースプレートに弾性変形して接しており、弾性復元力を発生させ、弾性復元力により係合凸部がベースプレートの周縁に弾撥的に係止して安定な係止状態になるものである。
【０００４】
また、ベースプレートの裏面側には係合凹部が形成され、係合凹部にカバーの係合凸部が係合している。
【０００５】
また、ドアの車体組立時に、ドアの建て付け調整が行われる。その際に、ストライカーの取付位置が調節され、ストライカーにラッチ部材が適正に係合するように調整される。さらに、ストライカーの取付位置の調節は、ドアの保守や交換時にも行われる。
【０００６】
【発明が解決しようとする課題】
しかしながら、このような従来のドアロックのストライカー装置では、ストライカーの取付位置を調節する際に、取付ビスを弛める必要があり、ベースプレートからカバーを取り外す場合に、係合凸部がベースプレートの周縁に安定して係止しているため、カバーの取り外しが困難であり、例えば、マイナスドライバーなどの工具を使って、係合凸部を外方へ開くようにして、ベースプレートの周縁から外す際に、不注意等からパネルを傷付ける場合があり、カバーの取り外し作業に細心の注意を必要とし、作業性が良くない。
【０００７】
また、ベースプレートの裏面側に係合凹部を設けているので、カバーがない状態を仕様とする完成車の場合には、係合凹部が外部に露出して見栄えが良くなく、見栄えを良くするために、係合凹部の有るベースプレートと、係合凹部がないベースプレートを別々に製作する必要があり、コストが嵩むという問題点があった。
【０００８】
本発明は、このような従来の問題点に着目してなされたもので、工具などを不要にして、簡単な操作でカバー部材をベースプレートから取り外すことができ、作業性を高めることができるドアロックのストライカー装置および、そのカバー部材を提供する。
【０００９】
また、カバーの有無の仕様に関係なくベースプレートを共通化して、ストライカーのコストを低減することができるドアロックのストライカー装置を提供することを目的としている。
【００１０】
【課題を解決するための手段】
かかる目的を達成するための本発明の要旨とするところは、次の各項の発明に存する。
［１］ドア本体またはドア開口の一方の周縁部に設けられたラッチ部材を、他方の周縁部に設けられたストライカー（２０）に係合させて、前記ドア本体を閉扉状態に拘束するようにしたドアロックのストライカー装置（１０）であり、カバー部材（３０）を有するものにおいて、
前記ストライカー（２０）は、ベースプレート（２１）および、ロッド部材（２５）を有し、
前記ロッド部材（２５）は、前記ベースプレート（２１）の表面側に立設されており、
前記カバー部材（３０）は、カバー表面部（３１）、カバー周壁部（３２）および、係止部（３５）を樹脂材により一体成形して成り、
前記カバー表面部（３１）は、前記ベースプレート（２１）の表面を覆う際に、前記ロッド部材（２５）が相対的に挿通する挿通溝（３３）を形成して成り、前記カバー周壁部（３２）は、前記ベースプレート（２１）の外縁部（２４）を外部から覆っていて、一対の押込み部（３８）を互いに対向する位置に形成して成り、
前記一対の押込み部（３８）と前記ベースプレート（２１）の外縁部（２４）との間には、前記一対の押込み部（３８）を相互に近づけるように内方へ押し込む際に、該押し込み方向と略直交する方向の線に沿って前記カバー表面部（３１）の中央部が表面側へ屈曲して、前記略直交する方向の線上に位置するカバー周壁部（３２）が前記ベースプレート（２１）の外縁部（２４）から外方へ開いた開き部（３９）に変形する程度の押し込み用の隙間（ＣＬ）を有しており、
前記係止部（３５）は、前記ベースプレート（２１）の外縁部（２４）に係脱可能なように、前記カバー周壁部（３２）の開き部（３９）に形成されていることを特徴とするドアロックのストライカー装置（１０）。
【００１１】
［２］ドア本体またはドア開口の一方の周縁部に設けられたラッチ部材を、他方の周縁部に設けられたストライカー（２０）に係合させて、前記ドア本体を閉扉状態に拘束するようにしたドアロックのストライカー装置（１０）であり、カバー部材（３０）を有するものにおいて、
前記ストライカー（２０）は、ベースプレート（２１）および、ロッド部材（２５）を有し、
前記ベースプレート（２１）は、前記他方の周縁部に接する据付部（２２）と、他方の周縁部から離間する段差部（２３）とを有しており、
前記ロッド部材（２５）は、逆Ｕ字形状に形成されていて、一対の脚部（２６）と連結部（２７）とを有しており、
前記ロッド部材（２５）の一対の脚部（２６）が前記ベースプレート（２１）の段差部（２３）の表面側に立設されており、
前記カバー部材（３０）は、カバー表面部（３１）、カバー周壁部（３２）および、係止部（３５）を樹脂材により一体成形して成り、
前記カバー表面部（３１）は、前記ベースプレート（２１）の表面を覆う際に、前記ロッド部材（２５）の一対の脚部（２６）および連結部（２７）が相対的にそれぞれ挿通する細長状の挿通溝（３３）を形成して成り、
前記カバー周壁部（３２）は、前記ベースプレート（２１）の外縁部（２４）を外部から覆っていて、前記挿通溝（３３）の長手方向とは直交する方向線上の互いに対向する位置に一対の押込み部（３８）を形成して成り、
前記一対の押込み部（３８）と前記ベースプレート（２１）の外縁部（２４）との間には、前記一対の押込み部（３８）を相互に近づけるように内方へ押し込む際に、前記挿通溝（３３）の長手方向の線に沿って前記カバー表面部（３１）の中央部が表面側へ屈曲して、前記長手方向の線上に位置するカバー周壁部（３２）が前記ベースプレート（２１）の外縁部（２４）から外方へ開いた開き部（３９）に変形する程度の押し込み用の隙間（ＣＬ）を有しており、
前記係止部（３５）は、前記ベースプレート（２１）の段差部（２３）の外縁部（２４）に係脱可能なように、前記カバー周壁部（３２）の開き部（３９）に形成されていることを特徴とするドアロックのストライカー装置（１０）。
【００１２】
［３］前記係止部（３５）は前記ベースプレート（２１）の裏面に沿って突出しており、
前記係止部（３５）は、その先端から基端側に凹入するスリット（３６）を有して成る［１］または［２］に記載のドアロックのストライカー装置（１０）。
【００１３】
［４］前記カバー部材（３０）のカバー表面部（３１）は、前記略直交する方向の線または、前記長手方向の線に沿って薄肉部（３４）を有していることを特徴とする［１］または［２］に記載のドアロックのストライカー装置（１０）。
【００１４】
［５］ドア本体またはドア開口の一方の周縁部に設けられるストライカー装置（１０）の表面側を覆うカバー部材（３０）において、
前記カバー部材（３０）は、カバー表面部（３１）、該カバー表面部（３１）の周縁から裏面側に立設されたカバー周壁部（３２）、および該カバー周壁部（３２）の内壁に形成された係止部（３５）を樹脂材により一体成形して成り、
前記カバー表面部（３１）には、前記ストライカー装置（１０）の表面側に立設されたロッド部材（２５）が相対的に挿通可能な挿通溝（３３）が形成してあり、
前記係止部（３５）は、カバー表面部（３１）から離間した位置のカバー周壁部（３２）の対向する内壁から互いに向かい合うように突出して少なくとも一対設けられ、
前記両係止部（３５）を結ぶ線と略直交する方向の線上に位置するカバー周壁部（３２）には、一対の押込み部（３８）が形成され、
前記両係止部（３５）を結ぶ線上に位置にするカバー周壁部（３２）には、前記両押込み部（３８）を相互に近づけるように内方に押し込んだ際に、前記一対の係止部（３５）の先端が互いに離れる方向に開き変形する開き部（３９）が形成されていることを特徴とするストライカー装置（１０）のカバー部材（３０）。
【００１５】
［６］前記カバー表面部（３１）には、前記押込み部（３８）の押し込みに際して、カバー表面部（３１）が盛り上がり屈曲変形する屈曲線が形成され、該屈曲線の延長方向に沿って前記係止部（３５）が形成されていることを特徴とする［５］項に記載のカバー部材（３０）。
【００１６】
［７］前記屈曲線は、前記ロッド部材（２５）が挿通可能な挿通溝（３３）であることを特徴とする［６］項に記載のカバー部材（３０）。
【００１７】
［８］前記カバー表面部（３１）は、上面視略６角形状に形成されていて、６個の頂角部（３１ａ）および、６個の辺部（３１ｂ）を有しており、前記押込み部（３８）は、互いに対向する前記辺部（３１ｂ）に形成されており、かつ前記係止部（３５）は、前記対向する辺部（３１ｂ）の間に位置する頂角部（３１ａ）に形成されていることを特徴とする［５］、［６］または［７］に記載のカバー部材（３０）。
【００１８】
次に、発明の作用を説明する。
本発明の一の構成では、カバー部材（３０）の一対の押込み部（３８）を内方へ近づけ、カバー周壁部（３２）の開き部（３９）が外方へ開くようにし、開き部（３９）に設けた係止部（３５）をベースプレート（２１）の外縁部（２４）から外すようにしたものである。
【００１９】
カバー部材（３０）をベースプレート（２１）に表側から装着するには、カバー表面部（３１）に形成された挿通溝（３３）にロッド部材（２５）を相対的に挿通していけばよい。
【００２０】
カバー部材（３０）が装着状態にあるとき、ベースプレート（２１）の表面はカバー部材（３０）のカバー表面部（３１）に覆われ、ベースプレート（２１）の外縁部（２４）はカバー周壁部（３２）に外部から覆われている。このとき、カバー周壁部（３２）の開き部（３９）に設けられた係止部（３５）はベースプレート（２１）の外縁部（２４）に係止している。また、カバー周壁部（３２）に設けられた押込み部（３８）とベースプレート（２１）の外縁部（２４）との間には押し込み用の隙間（ＣＬ）を有している。
【００２１】
カバー部材（３０）をベースプレート（２１）から外すには、前記押し込み用の隙間（ＣＬ）を利用して、一対の押込み部（３８）を相互に近づけるように内方へ押し込むようにすればよい。それにより、押し込み方向と略直交する方向の線に沿って、カバー表面部（３１）の中央部が表面側へ屈曲して、長手方向の線上に位置するカバー周壁部（３２）の開き部（３９）が屈曲した分だけ余肉となり、余肉になった開き部（３９）が変形して、ベースプレート（２１）の外縁部（２４）から外方へ開くようになる。
【００２２】
それにより、開き部（３９）に設けられた係止部（３５）がベースプレート（２１）の外縁部（２４）から外れ、カバー部材（３０）がベースプレート（２１）から外れ可能になる。カバー部材（３０）をベースプレート（２１）から外すには、ロッド部材（２５）を、挿通溝（３３）から抜くようにすればよい。
【００２３】
また、本発明の別の構成では、カバー部材（３０）の一対の押込み部（３８）を内方へ近づけた際に、カバー表面部（３１）に形成された挿通溝（３３）の長手方向の線に沿ってカバー表面部（３１）の中央部が表面側に屈曲して、カバー周壁部（３２）の開き部（３９）に設けられた係止部（３５）がベースプレート（２１）の外縁部（２４）から外れるようにしたものである。
【００２４】
カバー部材（３０）は、カバー表面部（３１）の挿通溝（３３）に沿った部位が他の部位と比較してその剛性が低くなっている構造であり、挿通溝（３３）に沿った部位の剛性が低い分だけ、挿通溝（３３）に沿ってカバー表面部（３１）を表面側へ容易に屈曲させることができる。
【００２５】
その構造に着目して、カバー周壁部（３２）に設けられる一対の押込み部（３８）は、挿通溝（３３）の長手方向とは直交する方向線上で互いに対向する位置に配されており、挿通溝（３３）の長手方向の線上に位置するカバー周壁部（３２）の開き部（３９）に係止部（３５）が配されている。
【００２６】
また、ロッド部材（２５）が立設するベースプレート（２１）の段差部（２３）を利用して、その段差部（２３）の外縁部（２４）に係止部（３５）を係脱させるようにして、係止部（３５）が係止する部位をベースプレート（２１）に特別に設ける必要がなく、カバー部材（３０）の有無の仕様に関わらず、ベースプレート（２１）を共通化することができる。
【００２７】
さらに、本発明の別の構成では、係止部（３５）にスリット（３６）を設けて、係止部（３５）が外方へ変形し易くなるようにしている。
【００２８】
すなわち、一対の押込み部（３８）を相互に近づけるように内方へ押し込むようにすると、押し込み方向と略直交する方向の線に沿って、カバー表面部（３１）の中央部が表面側へ屈曲しようとする。
【００２９】
このとき、長手方向の線上に位置するカバー周壁部（３２）の開き部（３９）に設けられる係止部（３５）が、開き部（３９）の剛性を高め、その屈曲に抵抗するようになるが、係止部（３５）にスリット（３６）が設けられているので、開き部（３９）の剛性が低くなり、係止部（３５）が容易に変形して、開き部（３９）がベースプレート（２１）の外縁部（２４）から外方へ開くようになり、開き部（３９）に設けられた係止部（３５）がベースプレート（２１）の外縁部（２４）から外れるようになる。
【００３０】
さらに、本発明の別の構成では、カバー表面部（３１）に薄肉部（３４）を積極的に設けて、係止部（３５）が設けられる開き部（３９）を変形し易くしている。
【００３１】
薄肉部（３４）は、ベースプレート（２１）に立設される略Ｕ字形状のロッド部材（２５）を挿通するための長溝である挿通溝（３３）がカバー表面部（３１）に形成されてなく、ベースプレート（２１）に立設される、例えば略Ｔ字形状のロッド部材（２５）を挿通するための丸孔の挿通溝（３３）がカバー表面部（３１）に形成され、丸孔の挿通溝（３３）の如く、剛性が低い部位が長手方向に沿って生じない場合に、特に有効である。
【００３２】
さらに、本発明の別の構成では、カバー部材（３０）をストライカー装置（１０）から容易に取り外すことができるよう、カバー部材（３０）に一対の押込み部（３８）および一対の係止部（３５）をそれぞれ設けたものである。
【００３３】
すなわち、カバー部材（３０）がストライカー装置（１０）に装着された状態では、カバー部材（３０）の一対の係止部（３５）は、ストライカー装置（１０）に係止している。
【００３４】
カバー部材（３０）をストライカー装置（１０）から外すには、一対の押込み部（３８）を相互に近づけるように内方へ押し込むようにすればよい。それにより、押し込み方向と略直交する方向の線に沿って、カバー表面部（３１）の中央部が表面側へ屈曲して、長手方向の線上に位置するカバー周壁部（３２）の開き部（３９）が屈曲した分だけ余肉となり、余肉になった開き部（３９）が変形して、開き部（３９）にそれぞれ設けられた一対の係止部（３５）の先端が互いに離れる方向に変位する。それにより、係止部（３５）がストライカー装置（１０）から外れ可能になる。
【００３５】
さらに、本発明の別の構成では、一対の押込み部（３８）を相互に押し込んだ際に、カバー表面部（３１）に生じる屈曲線を利用して、屈曲線の延長方向に沿って一対の係止部（３５）を形成したものである。
【００３６】
すなわち、一対の押込み部（３８）を相互に近づけるように内方へ押し込むと、カバー表面部（３１）が盛り上がり屈曲変形する屈曲線が形成され、屈曲線の延長方向に位置するカバー周壁部（３２）が肉余りを生じて、カバー周壁部（３２）の開き部（３９）が外方へ変形する。その変形に応じて、開き部（３９）に形成された係止部（３５）が外方へ変位するようになる。
【００３７】
屈曲線の延長方向に位置するカバー周壁部（３２）の部位が、外方への変形量が大きいことを利用して、外方への大きな変形が見込まれる部位に一対の係止部（３５）を形成して、操作部である一対の押込み部（３８）の操作することにより、一対の係止部（３５）を係脱操作することができる。
【００３８】
さらに、本発明の別の構成では、ロッド部材（２５）が挿通可能な挿通溝（３３）を屈曲線にしたものである。
【００３９】
カバー表面部（３１）が屈曲するとき、カバー表面部（３１）は、挿通溝（３３）に沿って屈曲しようとするが、挿通溝（３３）に沿ってカバー表面部（３１）の剛性が低くなっているので、カバー表面部（３１）が屈曲し易くなり、開き部（３９）が外方へ開き易くなり、一対の係止部（３５）がストライカー装置（１０）から外れ易くなる。
【００４０】
さらに、本発明の別の構成では、上面視略６角形状に形成されたカバー表面部（３１）において、互いに対向する辺部（３１ｂ）に押込み部（３８）を形成し、かつ対向する辺部（３１ｂ）の間に位置する頂角部（３１ａ）に係止部（３５）を形成したものである。
【００４１】
すなわち、辺部（３１ｂ）である広い面に押込み部（３８）を形成することにより、押込み部（３８）にかかる押し込み力を有効に伝えることができ、また、頂角部（３１ａ）に係止部（３５）を形成することにより、係止部（３５）が外方へ確実にかつ安定して開くようになる。
【００４２】
【発明の実施の形態】
以下、図面に基づき本発明の一実施の形態を説明する。
各図は本発明の一実施の形態を示している。
図１〜図４に示すように、本実施の形態に係るストライカー装置１０は、車体のドア開口の周縁部であるピラー部材Ｐに装着されるものである。
【００４３】
ストライカー装置１０は、ストライカー２０および、カバー部材３０とから成る。ストライカー装置１０および、ドアの周縁部に装着されたラッチ部材（図示省略）によりドアロックが構成され、ドアロックは、ラッチ部材がストライカー装置１０に係合することにより、ドアを閉扉状態に拘束するものである。
【００４４】
ストライカー２０は、ベースプレート２１および、ロッド部材２５を有しており、ベースプレート２１は、ピラー部材Ｐに接する据付部２２と、ピラー部材Ｐから離間する段差部２３とを有している。ベースプレート２１の外縁部２４は、段差部２３の部位が凹形状になっている。
【００４５】
ロッド部材２５は、逆Ｕ字形状に形成されていて、一対の脚部２６と連結部２７とを有している。ロッド部材２５の一対の脚部２６がベースプレート２１の段差部２３の表面側に立設されて、段差部２３の裏面側でカシメ固定されている。したがって、段差部２３のピラー部材ＰからのスペースＳＰは、ロッド部材２５のカシメによる肉厚分の回避用となっている。
【００４６】
カバー部材３０は、カバー表面部３１、カバー周壁部３２および、係止部３５を樹脂材により一体成形して成る。カバー周壁部３２は、カバー表面部３１の全周縁に形成されている。
【００４７】
カバー表面部３１は、ベースプレート２１の表面を覆う際に、ロッド部材２５の一対の脚部２６および連結部２７が相対的にそれぞれ挿通する細長状の挿通溝３３を有している。挿通溝３３は、円形断面形状の各脚部２６が挿通する一対の丸溝３３ａおよび、連結部２７が通り抜ける際にその溝側縁が撓んで溝幅が広がる細溝３３ｂとから成る。
【００４８】
カバー表面部３１は、ベースプレート２１の形状と同じく、略６角形状に形成され、６個の頂角部３１ａおよび、６個の辺部３１ｂを有している。挿通溝３３一対の丸溝３３ａは、対向する頂角部にそれぞれ穿設されている。一対の丸溝３３ａは、細溝３３ｂで連続している。すなわち、挿通溝３３の長手方向の線は、前記対向する頂角部３１ａへそれぞれ延びている。
【００４９】
カバー周壁部３２は、ベースプレート２１の外縁部２４を外部から覆っていて、カバー部材３０の全体的な剛性を高くしている。挿通溝３３の長手方向とは直交する方向線上に位置する、互いに対向するカバー周壁部３２の辺部３１ｂが一対の押込み部３８に成っている。
【００５０】
一対の押込み部３８とベースプレート２１の外縁部２４との間には押し込み用の隙間ＣＬが形成されている。カバー周壁部３２は、前記対向する頂角部３１ａに対応する位置が開き部３９に成っている。
【００５１】
すなわち、開き部３９は、一対の押込み部３８を互いに近づけるように内方へ押し込み、挿通溝３３の長手方向の線に沿ってカバー表面部３１の中央部が表面側へ屈曲した際に、ベースプレート２１の外縁部２４から外方へ開き易い（変形し易い）頂角部３１ａに対応するカバー周壁部３２に設けられている。挿通溝３３の長手方向の線が屈曲する屈曲線に成っている。
【００５２】
カバー周壁部３２の開き部３９には、係止部３５が形成されている。係止部３５は、ベースプレート２１の凹形状の段差部２３に嵌合した状態でその外縁部２４に係止する。
【００５３】
係止部３５は、ベースプレート２１の裏面に沿って突出している。係止部３５は、その先端から基端側に凹入するＶ字形状のスリット３６を有している。
【００５４】
カバー部材３０のカバー表面部３１には薄肉部３４が形成されている。薄肉部３４は、挿通溝３３の長手方向の線（屈曲線）に沿って、挿通溝３３の丸溝３３ａとカバー周壁部３２との間に延ばされている。
【００５５】
次に発明の実施の形態の作用を説明する。
カバー部材３０をベースプレート２１に表側から装着するには、カバー部材３０の挿通溝３３の一対の脚部２６および、連結部２７をロッド部材２５の丸溝３３ａおよび細溝３３ｂにそれぞれ挿通させる。このとき、ロッド部材２５の連結部２７は、挿通溝３３の細溝３３ｂの溝側縁を撓ませることでその溝幅を広げながら挿通する。
【００５６】
また、ロッド部材２５の一対の脚部２６の下端部まで挿通溝３３の丸溝３３ａに通していく。このとき、一対の押込み部３８を相互に近づけるように内方へ押し込み、挿通溝３３の長手方向の線（屈曲線）に沿ってカバー表面部３１の中央部が表面側へ屈曲し、カバー周壁部３２の屈曲部である開き部３９が屈曲した分だけ開き部３９付近のカバー周壁部３２の端末側（すなわち、ピラー部材Ｐ側に面する端末側）が余肉となり、余肉になった分開き部３９におけるカバー周壁部３２の端末がベースプレート２１の外縁部２４から外方へ開くようにし、カバー周壁部３２の開き部３９に形成された係止部３５が、ベースプレート２１の段差部２３の外縁部２４に係止しないようにしておく。なお、カバー周壁部３２は、押込み部３８の上記内方への押し込み時には内倒れせず、外側に倒れるように形成されている。
【００５７】
次に、ロッド部材２５の一対の脚部２６の下端部まで挿通溝３３の丸溝３３ａに通し、前後して、一対の押込み部３８への押し込みを止めると、カバー部材３０が復元して、カバー表面部３１の中央部が屈曲していない状態に戻るとともに、カバー周壁部３２の開き部３９が外方へ開かないで、内方へ閉じるようになり、係止部３５がベースプレート２１の段差部２３の外縁部２４に係止し、カバー部材３０がベースプレート２１に装着された状態（図１および、図４に示す状態）になる。
【００５８】
カバー部材３０が装着された状態では、ベースプレート２１の表面がカバー部材３０のカバー表面部３１に覆われ、ベースプレート２１の外縁部２４がカバー周壁部３２に外部から覆われるようになる。このとき、カバー周壁部３２の押込み部３８とベースプレート２１の外縁部２４との間には押し込み用の隙間ＣＬが再び生じている。
【００５９】
カバー部材３０が装着された状態において、カバー周壁部３２の一対の押込み部３８の一方に、前記押し込み方向と同じ方向から異物などが当たると、カバー周壁部３２の押込み部３８とベースプレート２１の外縁部２４との間には押し込み用の隙間ＣＬが生じているので、カバー部材３０が全体的に押し込み方向と同じ方向にずれるだけで、カバー周壁部３２の係止部３５はベースプレート２１の裏面側に沿ってずれ、依然として外縁部２４に係止したままであるので、カバー部材３０がベースプレート２１から外れることがない。
【００６０】
また、このとき、係止部３５がベースプレート２１の段差部２３の外縁部２４に嵌合するようになっているので、カバー部材３０が押し込み方向と同じ方向に大きくずれることもない。
【００６１】
同じく、カバー部材３０が装着された状態において、一方の押込み部３８に異物が引っかかって、カバー部材３０をベースプレート２１から剥がすような力がかかると、カバー部材３０のカバー表面部が表面側とは反対の裏面側に屈曲しようとし、係止部３５が設けられているカバー周壁部３２の開き部３９が内方へさらに閉じようとする。それにより、係止部３５がベースプレート２１の段差部２３の外縁部２４により食い込むようになり、カバー部材３０がベースプレート２１から外れることがない。
【００６２】
したがって、カバー部材３２の一対の押込み部３８を相互に近づけるように内方へ押し込む力以外の力が一対の押込み部３８にかかった場合には、係止部３５がベースプレート２１の段差部２３の外縁部２４から外れることがなく、カバー部材３０がベースプレート２１から外れることがない。
【００６３】
カバー部材３０をベースプレート２１から外すには、押し込み用の隙間ＣＬを利用して、一対の押込み部３８を相互に近づけるように内方へ押し込むようにすればよい。それにより、押し込み方向と略直交する方向の線に沿って、カバー表面部３１の中央部が表面側へ屈曲する。
【００６４】
カバー表面部３１が屈曲するとき、カバー表面部３１は、挿通溝３３および薄肉部３４に沿って屈曲するので、屈曲し易くなる。また、係止部３５にはスリット３６が設けられているので、係止部３５が設けられた開き部３９近傍の剛性が低くなり、開き部３９が外方へ開き易くなる。
【００６５】
開き部３９が外方へ開くと、開き部３９に設けられた係止部３５がベースプレート２１の外縁部２４から外れる。係止部３５がベースプレート２１の外縁部２４から外れると、カバー部材３０がベースプレート２１から外れ可能な状態（図５〜図７に示す状態）になる。
【００６６】
それにより、ロッド部材２５の一対の脚部２６を挿通溝３３の丸溝３３ａから抜くとともに、ロッド２５の連結部２７を挿通溝３３の長溝３３ｂから抜けば、カバー部材３０をベースプレート２１から外すことができる。
【００６７】
なお、前記実施の形態では、逆Ｕ字形状のストライカー２０を挿通すべく、挿通溝３３が細長状に成り、挿通溝３３の長手方向に沿って剛性が低い部分が生じることを利用して、細長状の挿通溝３３の長手方向に沿ってカバー部材３０を屈曲するものを示したが、ストライカー２０がＩ字形状に形成される場合には挿通溝３３は丸溝で済み、剛性が低い部分は生じないので、予定する屈曲線に沿ってカバー表面部３１に薄肉部を積極的に設けることはいうまでもない。
【００６８】
また、上述する実施形態では、カバー部材３０が適用される対象として、自動車ドアロックのストライカー装置を例示したが、これに限らず、トランクリッドやハッチなどの自動車用開閉体のロックのストライカーのみならず、種々のロックのストライカーに適用できるものである。
【００６９】
【発明の効果】
以上、説明したように、本発明の一の構成では、カバー部材の一対の押込み部を内方へ近づけ、カバー周壁部の開き部が外方へ開くようにし、開き部に設けた係止部をベースプレートの外縁部から外すようにしたので、工具などを不要にして、簡単な操作でカバー部材をベースプレートから取り外すことができ、作業性を高めることができる。
【００７０】
また、本発明の別の構成では、カバー部材の一対の押込み部を内方へ近づけた際に、カバー表面部に形成された挿通溝の長手方向の線に沿ってカバー表面部の中央部が表面側に屈曲して、カバー周壁部の開き部に設けられた係止部がベースプレートの外縁部から外れるようにしたので、挿通溝に沿った部位の剛性が低い分だけ、挿通溝に沿ってカバー表面部を表面側へ容易に屈曲させることができ、作業性を高めることができる。また、ロッド部材が立設するベースプレートの段差部を利用して、その段差部の外縁部に係止部を係脱させるようにしたので、係止部が係止する部位をベースプレートに特別に設ける必要がなく、カバー部材の有無の仕様に関わらず、ベースプレートを共通化することができる。
【００７１】
さらに、本発明の別の構成では、係止部にスリットを設けて、係止部周辺の剛性を低くしたので、カバー表面部の中央部が表面側へ屈曲する際に、係止部が容易に変形して、開き部がベースプレートの外縁部から外方へ開くようになり、開き部に設けられた係止部がベースプレートの外縁部から容易に外れるようになる。
【００７２】
さらに、本発明の別の構成では、カバー表面部に薄肉部を設けて、係止部が設けられる開き部を変形し易くしたので、比較的小さな操作力によりカバー部材をベースプレートから取り外すことができ、作業性を高めることができる。
【００７３】
さらに、本発明の別の構成では、カバー部材の一対の押込み部を相互に近づけると、カバー部材の一対の係止部の先端が互いに離れるように構成したので、係止部をストライカー装置から容易に外すことができる。
【００７４】
さらに、本発明の別の構成では、屈曲線の延長方向に位置するカバー周壁部の部位が、外方へ大きく変形することを利用して、外方への大きな変形が見込まれる部位に一対の係止部を形成したので、操作部である一対の押込み部を操作することにより、一対の係止部を容易に係脱操作することができる。
【００７５】
さらに、本発明の別の構成では、ロッド部材が挿通可能な挿通溝を屈曲線にしたので、挿通溝に沿ってカバー表面部の剛性が低くなり、カバー表面部が屈曲し易くなり、開き部が外方へ開き易くなり、一対の係止部をストライカー装置から容易に外すことができる。
【００７６】
さらに、本発明の別の構成では、上面視略６角形状に形成されたカバー表面部において、辺部である広い面に押込み部を形成したので、押込み部にかかる押し込み力を有効に伝えることができ、また、頂角部に係止部を形成したので、係止部を外方へ確実にかつ安定して開くことができる。
【図面の簡単な説明】
【図１】本発明の一実施の形態を示すストライカー装置の斜視図である。
【図２】本発明の一実施の形態を示すストライカー装置の底面図である。
【図３】本発明の一実施の形態を示すストライカーの側面図である。
【図４】図１のＩＶ−ＩＶ線断面図である。
【図５】本発明の一実施の形態を示すストライカー装置の作用説明図である。
【図６】図５のＶＩ矢視図である。
【図７】図５のＶＩＩ−ＶＩＩ線断面図である。
【符号の説明】
ＣＬ…押し込み用の隙間
Ｐ…ピラー部材
ＳＰ…スペース
１０…ストライカー装置
２０…ストライカー
２１…ベースプレート
２２…据付部
２３…段差部
２４…外縁部
２５…ロッド部材
２６…脚部
２７…連結部
３０…カバー部材
３１…カバー表面部
３１ａ…頂角部
３１ｂ…辺部
３２…カバー周壁部
３３…挿通溝
３３ａ…丸溝
３３ｂ…細溝
３４…薄肉部
３５…係止部
３６…スリット
３８…押込み部
３９…開き部
【図１】
0003605305.tif 000002
【図２】
0003605305.tif 000003
【図３】
0003605305.tif 000004
【図４】
0003605305.tif 000005
【図５】
0003605305.tif 000006
【図６】
0003605305.tif 000007
【図７】
0003605305.tif 000008